(57)【要約】【課題】移動可能な表示部に表示する情報を見易くし、利用者の利便性を向上させる手段を提供する。【解決手段】表示部を有する画像形成装置において、開閉可能な開閉部材と、前記開閉部材に回動可能に取り付けられた表示部と、前記開閉部材の開閉を検知する検出部と、前記検出部で前記開閉部材の閉を検知している場合、前記表示部に第１のオブジェクトを表示し、前記検出部で前記開閉部材の開を検知した場合、前記第１のオブジェクトと異なる第２のオブジェクトを前記表示部に表示する制御部と、を有する。【選択図】        図１
2016132206.tif 000002
【特許請求の範囲】
【請求項１】
表示部を有する画像形成装置において、
開閉可能な開閉部材と、
前記開閉部材に回動可能に取り付けられた表示部と、
前記開閉部材の開閉を検知する検出部と、
前記検出部で前記開閉部材の閉を検知している場合、前記表示部に第１のオブジェクトを表示し、前記検出部で前記開閉部材の開を検知した場合、前記第１のオブジェクトと異なる第２のオブジェクトを前記表示部に表示する制御部と、
を有することを特徴とする画像形成装置。
【請求項２】
請求項１に記載の画像形成装置において、
前記表示部は、前記開閉部材の開閉動作に伴って回動することを特徴とする画像形成装置。
【請求項３】
請求項２に記載の画像形成装置において、
前記開閉部材は、前記画像形成装置の本体に回動可能に取り付けられ、
前記検出部は、前記開閉部材の回動角を検出し、
前記制御部は、前記回動角に基づいて前記表示部に表示するオブジェクトを変更することを特徴とする画像形成装置。
【請求項４】
請求項３に記載の画像形成装置において、
前記オブジェクトは、文字を含み、
前記制御部は、前記回動角が大きくなると前記文字の大きさを大きくすることを特徴とする画像形成装置。
【請求項５】
請求項４に記載の画像形成装置において、
前記制御部は、前記回動角が大きくなると前記文字の色を変化させることを特徴とする画像形成装置。
【請求項６】
請求項３から請求項５のいずれかに記載の画像形成装置において、
前記オブジェクトは、画像を含み、
前記制御部は、前記回動角が大きくなると前記画像の大きさを変化させることを特徴とする画像形成装置。
【請求項７】
請求項３から請求項６のいずれかに記載の画像形成装置において、
前記オブジェクトは、画像を含み、
前記制御部は、前記回動角が大きくなると前記画像を他の画像に変更することを特徴とする画像形成装置。
【請求項８】
請求項３から請求項７のいずれかに記載の画像形成装置において、
前記オブジェクトは、文字列を含み、
前記制御部は、前記回動角が大きくなると前記文字列の文字数を少なくすることを特徴とする画像形成装置。
【請求項９】
請求項３から請求項８のいずれかに記載の画像形成装置において、
前記制御部は、前記回動角が大きくなると前記オブジェクトの配置を変更することを特徴とする画像形成装置。
【発明の詳細な説明】
【技術分野】
【０００１】
本発明は、表示部を有する画像形成装置に関する。
【背景技術】
【０００２】
従来の画像形成装置は、異常等が発生し情報を表示すべき状態になると、タッチパネルに装置の情報を通知するべき状態になったことを示すアイコンを表示し、そのアイコンを利用者により操作されるとアイコンが表している状態に関する情報を表示する情報ウインドウを表示するようにしている（例えば、特許文献１参照）。
【先行技術文献】
【特許文献】
【０００３】
【特許文献１】特開２００８−２２７７７１号公報
【発明の概要】
【発明が解決しようとする課題】
【０００４】
しかしながら、従来の技術においては、発生した事象に対処する際に、タッチパネル等の表示部が取り付けられた画像読取部を移動させると、利用者にとって表示部の位置が変化するため、利用者は表示部に表示した情報が見難くなり、利用者の利便性が低下するという問題がある。
本発明は、このような問題を解決することを課題とし、移動可能な表示部に表示する情報を見易くし、利用者の利便性を向上させることを目的とする。
【課題を解決するための手段】
【０００５】
そのため、本発明は、表示部を有する画像形成装置において、開閉可能な開閉部材と、前記開閉部材に回動可能に取り付けられた表示部と、前記開閉部材の開閉を検知する検出部と、前記検出部で前記開閉部材の閉を検知している場合、前記表示部に第１のオブジェクトを表示し、前記検出部で前記開閉部材の開を検知した場合、前記第１のオブジェクトと異なる第２のオブジェクトを前記表示部に表示する制御部と、を有することを特徴とする。
【発明の効果】
【０００６】
このようにした本発明は、移動可能な表示部に表示する情報を見易くし、利用者の利便性を向上させることができるという効果が得られる。
【図面の簡単な説明】
【０００７】
【図１】実施例における複合機の制御構成を示すブロック図
【図２】実施例における複合機の概観斜視図
【図３】実施例における操作表示部の説明図
【図４】実施例における文字列記憶部の説明図
【図５】実施例における表示処理の流れを示すフローチャート
【図６】実施例における表示画面の説明図
【発明を実施するための形態】
【０００８】
以下、図面を参照して本発明による画像形成装置の実施例を説明する。
【実施例】
【０００９】
図２は実施例における複合機の概観斜視図である。
図２において、画像形成装置としての複合機１は、画像を読取る読取部としてのスキャナ部１０１と、表示部としてのディスプレイおよび操作部としてのタッチパネルやキーを備えた操作表示部１０３と、画像を形成して媒体に印刷する印刷部１０４とを有している。
スキャナ部１０１は、読取る原稿を載置する原稿台１０１ａと、原稿台１０１ａに原稿を押圧するカバー１０１ｂとを有している。
【００１０】
操作表示部１０３は、装置の状態や利用者の操作を誘導する情報を表示する表示部と、利用者の入力操作を受付ける操作部を有している。
開閉部材としてのスキャナ部１０１は、複合機１の本体の一辺を回転軸として回動して開閉（回動）可能に取り付けられている。操作表示部１０３は、スキャナ部１０１の前述した回転軸と反対側の辺に回動（移動）可能に取り付けられ、スキャナ部１０１の開閉動作に伴って回動（移動）する。
【００１１】
図２（ａ）は、スキャナ部１０１が複合機１本体に対して閉じられた状態を表し、図２（ｂ）は、スキャナ部１０１が複合機１本体に対して開けられた状態を表している。スキャナ部１０１に取り付けられた操作表示部１０３は、スキャナ部１０１の開閉による回動に応じてリンク機構により回動し、スキャナ部１０１との間で成す角度が変化するようになっている。この操作表示部１０３は、複合機１の利用者が見易くなるようにスキャナ部１０１との角度が変化する。
【００１２】
本実施例では、図２（ａ）に示すように、スキャナ部１０１が複合機１本体に対して閉じられた状態、すなわちスキャナ部１０１の回動が複合機１本体の規制部材により規制され、スキャナ部１０１が印刷部１０４の上方を覆った状態では、スキャナ部１０１の上面（原稿台１０１ａの原稿載置面）と、操作表示部１０３の上面（操作面および表示面）とは、略平行となる。
【００１３】
図２（ｂ）に示すように、スキャナ部１０１が複合機１本体に対して開けられた状態、すなわちスキャナ部１０１が回転軸１０１ｃを中心に回動し、スキャナ部１０１が印刷部１０４の上方の一部を開放した状態では、スキャナ部１０１の上面（原稿台１０１ａの原稿載置面）と、操作表示部１０３の上面（操作面および表示面）とは、１８０度未満の角度を成すように、操作表示部１０３はスキャナ部１０１に対して回動する。
【００１４】
例えば、スキャナ部１０１が複合機１本体に対して閉じられた状態から４５度回動すると、操作表示部１０３は、上面がスキャナ部１０１の上面に対して４５度の角度を成すように、スキャナ部１０１に対して回動し、操作表示部１０３の操作面および表示面は略鉛直方向となる。
【００１５】
ここで、本実施例では、スキャナ部１０１が複合機１本体に対して閉じられた状態（スキャナ部１０１の回動が複合機１本体の規制部材により規制され、スキャナ部１０１が印刷部１０４の上方を覆った状態）からスキャナ部１０１が回転軸１０１ｃを中心に回転した角度（回動角）を「スキャナ部１０１の開閉角度」という。なお、スキャナ部１０１が複合機１本体に対して閉じられた状態のスキャナ部１０１の開閉角度は０度である。
【００１６】
図１は実施例における複合機の制御構成を示すブロック図である。
図１において、複合機１は、スキャナ部１０１と、角度取得部１０２と、操作表示部１０３と、印刷部１０４と、制御部１０５と、記憶部１０６とを有している。また、制御部１０５は、表示制御部１０５１と、装置制御部１０５２とを有し、記憶部１０６は、文字列記憶部１０６１を有している。
【００１７】
読取部としてのスキャナ部１０１は、紙などの媒体から画像を読取り、画像データを生成するものである。生成した画像データは、例えば制御部１０５の装置制御部１０５２に渡され、装置制御部１０５２は、渡された画像データを印刷部１０４に渡して印刷させることにより、複写（コピー）を行う。また、画像データは、通信回線に接続されたホストコンピュータ等の情報処理装置に送信される。なお、このとき、画像データは、電子メールの添付ファイルとして送信され、通信回線に接続されたメールサーバ等に送信されるようにしても良い。
【００１８】
検出部としての角度取得部１０２は、複合機１に対して回動可能に取り付けられたスキャナ部１０１の開閉角度（回動角）をセンサ等の開閉角度検出手段で検出し、検出した開閉角度に基づいてスキャナ部１０１の開閉を検知するものである。
スキャナ部１０１の開閉角度は、図２（ａ）に示すスキャナ部１０１が複合機１に対して閉じた状態を０度とし、図２（ｂ）に示すようにスキャナ部１０１を回動させて複合機１に対して開くに従い角度が増加する。なお、最大角度は、例えば４５度である。
【００１９】
また、開閉角度検出手段は、例えばスキャナ部１０１の回動に伴って移動する部材の移動量を測定するセンサを備え、測定した移動量から開閉角度を導出するものである。
操作表示部１０３は、複合機１のユーザインタフェースであり、ディスプレイ等の表示部と操作キーやタッチパネル等の入力部としての操作部とから構成されたものである。
本実施例の操作表示部１０３は、例えば図３に示す操作表示部１０３であり、表示部および操作部を兼ね備えたタッチパネル１０３１と、操作部としてのハードウェアキー（以下、「キー」という。）１０３２、１０３３、１０３４、１０３５、１０３６、１０３７、１０３８とから構成されている。
【００２０】
キー１０３２は、複合機１の機能を選択するための操作キーであり、「ＣＯＰＹ」キーを押下するとタッチパネル１０３１にコピー画面が表示され、「Ｓｃａｎ」キーを押下するとタッチパネル１０３１に読取り画面が表示され、「Ｐｒｉｎｔ」キーを押下するとタッチパネル１０３１に印刷画面が表示される。
【００２１】
キー１０３３は、複合機１の状態を表す情報をタッチパネル１０３１に表示させるための操作キーである。キー１０３４は、複合機１の電源の投入／切断を制御するための操作キーである。キー１０３５は、「０」〜「９」、「＊」、「＃」等の操作キーを有するテンキーである。キー１０３６は、クリアキーであり、例えばタッチパネル１０３１において入力中の文字、文字列の消去を行うための操作キーである。キー１０３７およびキー１０３８は、スタートキーであり、例えばタッチパネル１０３１にコピー画面が表示されている場合に押下することにより、コピー動作を開始させるための操作キーである。キー１０３７は、モノクロスタートキーであり、出力結果を白黒で印刷する場合に使用するものであり、キー１０３８は、カラースタートキーであり、出力結果をカラーで印刷する場合に使用するものである。
【００２２】
なお、本実施例では、操作表示部１０３は、タッチパネルとハードウェアキーの組み合わせで構成されたものとして説明するが、タッチパネルだけで構成されたものであっても良い。
印刷部１０４は、装置制御部１０５２から渡された画像データの印刷を行うものである。この印刷部１０４は、画像データのラスタライズ化を行い、例えば電子写真プリンタの場合、感光ドラム上に形成した静電潜像を現像剤としてのトナーによりトナー像として現像し、そのトナー像を記録紙に写し取ることで印刷を行う。なお、画像データは、スキャナ部１０１で生成されたものでも良く、また通信回線を介して情報処理装置から受信したものでも良い。
【００２３】
印刷部１０４は、各種カートリッジ、各種ユニット、各種交換部品等の保守が必要な部分を有しており、利用者等により保守が必要な部分を操作等することができるようになっている。本実施例の印刷部１０４は、例えばトナーを収容するトナーカートリッジ、感光ドラムユニット等を備え、図２（ｂ）に示すように、スキャナ部１０１を回動させて開いた状態にし、印刷部１０４のトップカバーを開くことでトナーカートリッジや感光ドラムユニット等を交換等することが可能になっている。
【００２４】
制御部１０５は、記憶部１０６に記憶された制御プログラム（ソフトウェア）に基づいて複合機１全体の動作を制御するものである。
制御部１０５に含まれる表示制御部１０５１は、操作表示部１０３の表示制御を行うものである。表示制御部１０５１は、文字列記憶部１０６１に記憶された文字列を取得し、取得した文字列を操作表示部１０３の表示部に描画して表示する。
【００２５】
制御部１０５に含まれる装置制御部１０５２は、複合機１を制御して利用者に各種機能を提供するものである。装置制御部１０５２は、例えば操作表示部１０３において受付けた利用者による入力操作に基づいてスキャナ部１０１を制御し、画像データを生成するとともに、印刷部１０４に画像データの印刷を行わせることによりコピー機能を実現する。
記憶部１０６は、複合機１の記憶手段であり、制御部１０５が処理を行う上で発生する情報を一時的に記憶し、また制御プログラム等の情報を永続的に記憶するものである。
【００２６】
記憶部１０６に含まれる文字列記憶部１０６１は、操作表示部１０３に表示する文字列等の情報を記憶するものである。
本実施例の文字列記憶部１０６１は、例えば図４に示す文字列記憶部である。
図４において、文字列記憶部１０６１は、文字列、角度の通番であるＮｏ．（１０６１ａ）と、ＩＤ１０６１ｂと、角度１０６１ｃと、文字列１０６１ｄとを有している。
ＩＤ１０６１ｂは、表示すべき文字列を参照するための識別子（例えば、「Ｍ＿ＴＯＮＥＲ＿ＥＭＰＴＹ」）である。このＩＤ１０６１ｂは、複合機１で発生する事象毎に定義されるものであり、例えばトナーの交換が必要、ベルトの交換が必要、感光ドラムの交換が必要、定着器の交換が必要、紙詰まりの除去が必要等の利用者の介入が必要な事象毎に定義される。
【００２７】
角度１０６１ｃは、角度取得部１０２が取得したスキャナ部１０１の開閉角度である。なお、スキャナ部１０１の開閉角度に基づいてスキャナ部１０１の開閉を検知する場合、例えばスキャナ部１０１の開閉角度が０〜２０度のとき、スキャナ部１０１が閉、スキャナ部１０１の開閉角度が２１〜４５度のとき、スキャナ部１０１が開と判定するものとする。
【００２８】
文字列１０６１ｄは、ＩＤ１０６１ｂおよび角度１０６１ｃから導出される文字列である。文字列１０６１ｄの中の「ｓｉｚｅ」は、表示する文字列の文字の大きさであり、「１」の場合が最も小さい文字、「３」が最も大きな文字を表示する。例えば、角度取得部１０２から取得した角度が３０度の場合、“マゼンタトナー交換”と中程度の大きさの文字で表示される。また、＜ｔｉｔｌｅ＞と＜／ｔｉｔｌｅ＞で挟まれた文字列はタイトルに表示される文字列であり、＜ｂｒ＞は改行である。
【００２９】
このように構成された複合機１の制御部１０５の表示制御部１０５１は、角度取得部１０２でスキャナ部１０１の閉を検知している場合、操作表示部１０３に第１の文字列１０６１ｄ（オブジェクト）を表示し、角度取得部１０２でスキャナ部１０１の開を検知した場合、前記第１の文字列１０６１ｄと異なる第２の文字列１０６１ｄを操作表示部１０３に表示する。また、表示制御部１０５１は、角度取得部１０２で検出したスキャナ部１０１の開閉角度に基づいて操作表示部１０３に表示する文字列１０６１ｄを変更する
本実施例において、オブジェクトとは、文字列、文字列を構成する文字、画像等、操作表示部１０３に表示される目的物をいう。
【００３０】
上述した構成の作用について説明する。
複合機の表示制御部が操作表示部に表示を行う表示処理を図５の実施例における表示処理の流れを示すフローチャートの図中Ｓで表すステップに従って図１および図３を参照しながら説明する。なお、ここでは、複合機１において、利用者にマゼンタトナーの交換を要求する事象が発生したものとし、図３に示す文字列記憶部１０６１のＩＤ１６１ｂを「Ｍ＿ＴＯＮＥＲ＿ＥＭＰＴＹ」とした場合の表示処理について説明する。
【００３１】
まず、複合機１の制御部１０５の装置制御部１０５２は、印刷部１０４のマゼンタトナーがなくなったことを検知し、表示制御部１０５１に文字列記憶部１０６１のＩＤ１６１ｂとして「Ｍ＿ＴＯＮＥＲ＿ＥＭＰＴＹ」を通知し、本表示処理を開始する。
Ｓ１０１：複合機１の制御部１０５の表示制御部１０５１は、角度取得部１０２からスキャナ部１０１の開閉角度を取得する。
【００３２】
Ｓ１０２：表示制御部１０５１は、取得したスキャナ部１０１の開閉角度およびＩＤ（Ｍ＿ＴＯＮＥＲ＿ＥＭＰＴＹ）に基づいて文字列記憶部１０６１を検索し、操作表示部１０３に表示する文字列を取得する。例えば、表示制御部１０５１は、取得したスキャナ部１０１の開閉角度が０〜２０度ならばＮｏ．（１０６１ａ）が「１」の文字列、２１〜４０度ならばＮｏ．（１０６１ａ）が「２」の文字列、４１度以上ならばＮｏ．（１０６１ａ）が「３」の文字列を取得する。
【００３３】
Ｓ１０３：表示制御部１０５１は、取得した文字列を操作表示部１０３に表示する。
例えば、表示制御部１０５１は、スキャナ部１０１の開閉角度が０〜２０度の場合、図６（ａ）に示すように、操作表示部１０３のタッチパネル１０３１に、タイトルを「トナーが無くなりました」、文字のサイズを「１」とした文字列「マゼンタトナーが無くなりました。」、および文字列「マゼンタトナーを交換してください。」、「スキャナを持ち上げ、プリンタのトップカバーをオープンしてください。」等とした誘導画面を表示する。
【００３４】
また、表示制御部１０５１は、スキャナ部１０１の開閉角度が２１〜４０度の場合、図６（ｂ）に示すように、操作表示部１０３のタッチパネル１０３１に、タイトルを「トナーが無くなりました」、文字のサイズを「２」とした文字列「マゼンタトナー交換」、および文字列「スキャナを持ち上げ、プリンタのトップカバーをオープンしてください。」等とした誘導画面を表示する。
【００３５】
さらに、表示制御部１０５１は、スキャナ部１０１の開閉角度が４１度以上の場合、図６（ｃ）に示すように、操作表示部１０３のタッチパネル１０３１に、タイトルを「トナーが無くなりました」、文字のサイズを「３」とした文字列「マゼンタトナー」、および文字列「スキャナを持ち上げ、プリンタのトップカバーをオープンしてください。」等とした誘導画面を表示する。
【００３６】
Ｓ１０４：表示制御部１０５１は、角度取得部１０２からスキャナ部１０１の開閉角度を取得し、Ｓ１０１において取得したスキャナ部１０１の開閉角度と比較し、スキャナ部１０１の開閉角度に変化があるまで待ち、変化を検知すると処理をＳ１０５へ移行する。
Ｓ１０５：スキャナ部１０１の開閉角度の変化を検知した表示制御部１０５１は、利用者を誘導すべき事象が解消されたか否かを判定し、解消されていると判定すると処理をＳ１０６へ移行し、解消されていないと判定すると処理をＳ１０１へ戻す。本実施例では、利用者を誘導すべき事象としてマゼンタトナーが交換されたか否かを判定し、交換されていると判定すると処理をＳ１０６へ移行し、交換されていないと判定すると処理をＳ１０１へ戻す。
【００３７】
なお、装置制御部１０５２が利用者を誘導すべき事象が解消されたことを検知し、その旨を表示制御部１０５１に通知するものとする。
Ｓ１０６：利用者を誘導すべき事象が解消されたと判定した表示制御部１０５１は、スキャナ部１０１の開閉角度が０度か否か、すなわちスキャナ部１０１が閉じられたか否かを判定し、開閉角度が０度（閉じられた）と判定すると処理をＳ１０８へ移行し、開閉角度が０度でない（開いている）と判定すると処理をＳ１０７へ移行する。
【００３８】
Ｓ１０７：スキャナ部１０１の開閉角度が０度でない（開いている）と判定した表示制御部１０５１は、スキャナ部１０１を閉じることを誘導する文字列（スキャナ部閉誘導画面）を操作表示部１０３に表示し、処理をＳ１０６へ移行してスキャナ部１０１が閉じられることを待機する。
Ｓ１０８：スキャナ部１０１が閉じられたと判定した表示制御部１０５１は、初期画面（例えば、機能選択画面）を操作表示部１０３に表示して本処理を終了する。
【００３９】
このように、表示制御部１０５１は、角度取得部１０２からスキャナ部１０１の開閉角度に応じて操作表示部１０３に表示する文字列の文字の大きさを変更（スキャナ部１０１の開閉角度が大きくなると文字の大きさを大きく）するようにしたことにより、移動可能な操作表示部１０３に表示する情報を見易くし、利用者の視認性を向上させることができ、利用者の利便性を向上させることができる。
【００４０】
また、表示制御部１０５１は、角度取得部１０２からスキャナ部１０１の開閉角度に応じて操作表示部１０３に表示する内容（文字列）を変更（スキャナ部１０１の開閉角度が大きくなると文字列の文字数を少なくする）するようにしたことにより、利用者が必要とする情報を十分に表示することができる。これは、操作表示部１０３に表示する文字列の文字の大きさを変更するようにしたことにより、操作表示部１０３に表示可能な情報量が変化するが、表示可能な情報量に応じて適正な文字列を表示させるようにしたものである。
【００４１】
なお、本実施例では、スキャナ部１０１の開閉角度に応じて操作表示部１０３に表示する内容を変更する例で説明したが、スキャナ部１０１の開閉（開いている場合と閉じている場合）に応じて操作表示部１０３に表示する内容を変更するようにしても良い。
【００４２】
また、本実施例では、スキャナ部１０１の開閉角度に応じて操作表示部１０３に表示する文字列の文字の大きさを変更する例で説明したが、これに限られるものでなく、操作表示部１０３に表示されている文字列の色を変化（スキャナ部１０１の開閉角度が大きくなると文字の色を変化）させる、操作表示部１０３に表示された操作ボタンの大きさを変化させる、操作表示部１０３に表示された画像の大きさを変化（スキャナ部１０１の開閉角度が大きくなると画像の大きさを変化）させる・画像を切り替える（スキャナ部１０１の開閉角度が大きくなると表示している画像を他の画像に変更）、文字列と画像の配置を変更（スキャナ部１０１の開閉角度が大きくなると表示している文字列と画像の配置を変更）する等、操作表示部１０３に表示されているオブジェクトを変化させるようにしても良い。
【００４３】
以上説明したように、本実施例では、スキャナ部の開閉角度に応じて操作表示部に表示する文字列の文字の大きさを変更するようにしたことにより、移動可能な操作表示部に表示する情報を見易くし、利用者の利便性を向上させることができるという効果が得られる。
また、スキャナ部の開閉角度に応じて操作表示部に表示する内容を変更するようにしたことにより、利用者が必要とする情報を十分に表示することができるという効果が得られる。
なお、本実施例では、画像形成装置を複合機として説明したが、それに限られるものでなく、表示部が移動可能なものであれば、プリンタ、ファクシミリ装置、複写機等であっても良い。
【符号の説明】
【００４４】
１    複合機
１０１  スキャナ部
１０２  角度取得部
１０３  操作表示部
１０４  印刷部
１０５  制御部
１０６  記憶部
１０５１  表示制御部
１０５２  装置制御部
１０６１  文字列記憶部
【図１】
2016132206.tif 000003
【図２】
2016132206.tif 000004
【図３】
2016132206.tif 000005
【図４】
2016132206.tif 000006
【図５】
2016132206.tif 000007
【図６】
2016132206.tif 000008